(57)【要約】【課題】充電が完了した端末装置を取り出し易くできる充電装置を提供すること。【解決手段】画像表示装置のドキュメントデータが最新のデータであった場合は（Ｓ２：ＹＥＳ）、バッテリの電圧が設定値の電圧以上あるか否かを判断する（Ｓ５）。電圧が設定値の電圧以上ない場合には（Ｓ５：ＮＯ）、可動クレードルを降下させて格納位置に移動させて、充電が開始される（Ｓ６）。バッテリの電圧が充電により設定値の電圧以上になった場合（Ｓ５：ＹＥＳ）、可動クレードルを上昇させて突出位置に移動させる（Ｓ７）。従って、画像表示装置のドキュメントデータが最新であり（Ｓ２：ＹＥＳ）、バッテリの電圧が設定値以上となって充電が完了した場合には（Ｓ５：ＹＥＳ）、画像表示装置は突出位置に移動してポップアップ状態となり取り出し易くなる。また、一目でデータが最新であり充電が完了していることが分かる。【選択図】図９
2012034511.tif 000002
【特許請求の範囲】
【請求項１】
充電式の電池を内蔵した端末装置を複数並べて充電可能な充電装置であって、
前記端末装置を保持し、当該端末装置を充電する充電端子を有し、前記端末装置を充電する格納位置と当該格納位置よりも突出した突出位置との間で移動する可動クレードルと、
当該可動クレードルを前記格納位置と前記突出位置との間で移動させるアクチュエータと、
前記端末装置の電池の充電状態を検出する充電状態検出手段と、
当該充電状態検出手段の検出した前記電池の充電状態が所定量以上の場合に、前記アクチュエータを制御して前記可動クレードルを前記格納位置から前記突出位置に移動させる制御手段と
を備えたことを特徴とする充電装置。
【請求項２】
前記端末装置を複数並べて充電できるように前記可動クレードルが複数近接して配置され、
前記制御手段は、前記充電状態検出手段の検出した前記端末装置の電池の充電状態が所定量以上の場合に、当該前記端末装置を保持している可動クレードルの少なくとも一側に配置されている可動クレードルが前記格納位置に有る場合には、前記アクチュエータを制御して当該前記端末装置を保持している可動クレードルを前記格納位置から前記突出位置に移動させることを特徴とする請求項１に記載に充電装置。
【請求項３】
前記制御手段は、前記充電状態検出手段の検出した前記端末装置の電池の充電状態が所定量以上の場合に、当該前記端末装置を保持している可動クレードルに近接する所定数以上の可動クレードルが前記格納位置に有る場合には、前記アクチュエータを制御して当該前記端末装置を保持している可動クレードルを前記格納位置から前記突出位置に移動させることを特徴とする請求項１または２に記載に充電装置。
【請求項４】
前記制御手段は、前記充電状態検出手段の検出した前記端末装置の電池の充電状態が所定量未満の場合に、前記アクチュエータを制御して当該前記端末装置を保持している可動クレードルを前記突出位置から前記格納位置に移動させることを特徴とする請求項１から３の何れかに記載の充電装置。
【請求項５】
書換用の最新のデータを記憶する最新データ記憶手段と、
前記端末装置の記憶装置のデータを前記最新データ記憶手段に記憶された最新のデータに書換るデータ書換手段と、
前記端末装置の記憶装置が記憶するデータが最新のデータか否かを判断するデータ判断手段とを備え、
前記制御手段は、前記データ判断手段が前記端末装置の記憶装置が記憶するデータが最新のデータであると判断し、且つ、前記充電状態検出手段の検出した前記端末装置の電池の充電状態が所定量以上の場合に、前記アクチュエータを制御して前記可動クレードルを前記格納位置から前記突出位置に移動させることを特徴とする請求項１から３の何れかに記載の充電装置。
【請求項６】
前記制御手段は、前記データ判断手段の検出した前記端末装置の記憶装置の記憶するデータが最新のデータで無い場合に、前記アクチュエータを制御して当該前記端末装置を保持している可動クレードルを前記突出位置から前記格納位置に移動させることを特徴とする請求項５に記載の充電装置。
【発明の詳細な説明】
【技術分野】
【０００１】
本発明は、充電装置に関し、詳細には、充電式の電池を内蔵した端末装置を複数並べて充電する充電装置に関する。
【背景技術】
【０００２】
近年、携帯型端末装置やノート型パーソナルコンピュータ等の電源として、二次電池を内蔵したバッテリーパックが使用されるようになっている。バッテリーパックは外見からは、内部の二次電池が放電状態で使用済か、充電状態で未使用かは分からない。そこで、以下のような充電装置が提案されている（例えば、特許文献１参照）。この充電装置では、バッテリーパックに電池の使用済又は未使用を表示するマークを有するスライド表示板を設け、充電装置のバッテリーパック装着部には突起を設ける。そして、バッテリーパックがこの充電装置に装着されたときに、当該突起により、スライド表示板を作動させて「使用」の表示から「未使用」の表示に切り替えるようになっている。
【０００３】
この従来の充電装置では、バッテリーパックを充電装置に装着時には、スライド板の作動用の突起により、自動的にスライド表示板を作動させて「使用」の表示から「未使用」の表示に切り替えるので、切り替え忘れがないという効果を奏する。
【先行技術文献】
【特許文献】
【０００４】
【特許文献１】特開平５−１４４４７９号公報
【発明の概要】
【発明が解決しようとする課題】
【０００５】
しかしながら、特許文献１に記載の充電装置では、充電対象のバッテリーパックや端末装置を複数並べて充電するときに、充電されているバッテリーパックや端末装置を取り出し易くすることは考慮されていなかった。
【０００６】
本発明は、上記問題点を解決するためになされたものであり、充電式の電池を内蔵した端末装置を複数並べて充電する充電装置において、充電が完了した端末装置を取り出し易くできる充電装置を提供することを目的とする。
【課題を解決するための手段】
【０００７】
本発明の第一の態様にかかる充電装置は、充電式の電池を内蔵した端末装置を複数並べて充電可能な充電装置であって、前記端末装置を保持し、前記端末装置を充電する格納位置と当該格納位置よりも突出した突出位置との間で移動する可動クレードルと、当該可動クレードルを前記格納位置と前記突出位置との間で移動させるアクチュエータと、前記端末装置の電池の充電状態を検出する充電状態検出手段と、当該充電状態検出手段の検出した前記電池の充電状態が所定量以上の場合に、前記アクチュエータを制御して前記可動クレードルを前記格納位置から前記突出位置に移動させる制御手段とを備えている。
【０００８】
第一の態様にかかる充電装置では、複数の端末装置を並べて充電中に、充電が完了した端末装置を保持した可動クレードルをアクチュエータにより、格納位置から突出位置に移動させる。従って、充電の完了した端末装置を取り出し易い。
【０００９】
また、前記端末装置では、前記端末装置を複数並べて充電できるように前記可動クレードルが複数近接して配置され、前記制御手段は、前記充電状態検出手段の検出した前記端末装置の電池の充電状態が所定量以上の場合に、当該前記端末装置を保持している可動クレードルの少なくとも一側に配置されている可動クレードルが前記格納位置に有る場合には、前記アクチュエータを制御して当該前記端末装置を保持している可動クレードルを前記格納位置から前記突出位置に移動させるようにしてもよい。
【００１０】
この場合には、当該端末装置を保持している可動クレードルの少なくとも一側に配置されている可動クレードルが前記格納位置に有る場合には、当該前記端末装置を保持している可動クレードルを前記格納位置から前記突出位置に移動させるようにするので、充電が完了した端末装置を突出させても、近接した端末装置は、格納位置に引っ込んでいるので、充電の完了した端末装置を取り出し易い。
【００１１】
また、前記端末装置では、前記充電状態検出手段の検出した前記端末装置の電池の充電状態が所定量以上の場合に、当該前記端末装置を保持している可動クレードルに近接する所定数以上の可動クレードルが前記格納位置に有る場合には、前記アクチュエータを制御して当該前記端末装置を保持している可動クレードルを前記格納位置から前記突出位置に移動させるようにしてもよい。
【００１２】
この場合には、当該端末装置を保持している可動クレードルの少なくとも一側に配置されている所定数以上の可動クレードルが前記格納位置に有る場合には、当該前記端末装置を保持している可動クレードルを前記格納位置から前記突出位置に移動させるようにするので、充電が完了した端末装置を突出させても、所定数以上の端末装置が格納位置に引っ込んでいるので、充電の完了した端末装置を取り出し易い。
【００１３】
また、前記端末装置では、前記制御手段は、前記充電状態検出手段の検出した前記端末装置の電池の充電状態が所定量未満の場合に、前記アクチュエータを制御して当該前記端末装置を保持している可動クレードルを前記突出位置から前記格納位置に移動させるようにしてもよい。
【００１４】
この場合には、突出位置にある可動クレードルに端末装置を載置するだけで、電池の充電状態が所定量未満の場合に、自動的に可動クレードルが突出位置から格納位置に移動して充電が開始される。
【００１５】
また、前記端末装置では、書換用の最新のデータを記憶する最新データ記憶手段と、前記端末装置の記憶装置のデータを前記最新データ記憶手段に記憶された最新のデータに書換るデータ書換手段と、前記端末装置の記憶装置が記憶するデータが最新のデータか否かを判断するデータ判断手段とを備え、前記制御手段は、前記データ判断手段が前記端末装置の記憶装置が記憶するデータが最新のデータであると判断し、且つ、前記充電状態検出手段の検出した前記端末装置の電池の充電状態が所定量以上の場合に、前記アクチュエータを制御して前記可動クレードルを前記格納位置から前記突出位置に移動させるようにしてもよい。
【００１６】
この場合には、端末装置の充電が完了し、記憶装置のデータが最新のデータに書換られた場合に、端末装置を保持した可動クレードルが格納位置から突出位置に移動する。従って、充電及びデータの更新の完了した端末装置を取り出し易い。
【００１７】
前記制御手段は、前記データ判断手段の検出した前記端末装置の記憶装置の記憶するデータが最新のデータで無い場合に、前記アクチュエータを制御して当該前記端末装置を保持している可動クレードルを前記突出位置から前記格納位置に移動させるようにしてもよい。
【００１８】
この場合には、突出位置にある可動クレードルに端末装置を載置するだけで、端末装置の記憶装置の記憶するデータが最新のデータで無い場合に、自動的に可動クレードルが突出位置から格納位置に移動して最新のデータへの書換えが行われる。
【図面の簡単な説明】
【００１９】
【図１】画像表示装置１の正面図である。
【図２】画像表示装置１の電気的構成を示すブロック図である。
【図３】ドキュメントデータ３００の内容を示す概念図である。
【図４】充電装置５０の使用状態を示す模式図である。
【図５】可動クレードル１７１が格納位置にある充電ユニット７１の斜視図である。
【図６】充電装置５０の端末接続端子８１の拡大図である。
【図７】可動クレードル１７１が突出位置にある充電ユニット７１の斜視図である。
【図８】充電装置５０の電気的構成を示すブロック図である。
【図９】第一実施の形態の充電装置５０の制御のフローチャートである。
【図１０】第二実施の形態の充電装置５０の制御のフローチャートである。
【図１１】充電装置５０の動作状態を示す正面図である。
【図１２】充電装置５０の動作状態を示す正面図である。
【発明を実施するための形態】
【００２０】
以下、本発明に係る端末装置を具現化した画像表示装置１および充電装置５０について、図面を参照して説明する。なおこれらの図面は、本発明が採用しうる技術的特徴を説明するために用いられるものであり、記載されている画像表示装置の構成、各種処理のフローチャートなどは、それのみに限定する趣旨ではなく、単なる説明例である。
【００２１】
まず、図１を参照し、充電装置５０により充電される画像表示装置１の概要について説明する。画像表示装置１は、正面視、略長方形の板状である。画像表示装置１は、略長方形状の表示パネル２を正面側に備えている。表示パネル２は、不揮発性の表示素子から構成されている。不揮発性の表示素子は、表示中の像を書き換える場合にのみ電力を必要とし、電力の供給が断たれても表示中の像を保持することが可能であるという特性を有している。表示パネル２としては、従来周知の様々な不揮発性の表示素子が使用可能である。例えば、マイクロカプセル方式や電気泳動式等の不揮発性の表示素子が使用可能である。なお、図１に示す画像表示装置１は、表示パネル２に白色のみの画面が表示されている。
【００２２】
画像表示装置１は、表示パネル２の右側に、上下方向に並んだ複数の選択ボタン３を備えている。選択ボタン３は、表示パネル２のうち選択ボタン３の左側部分に表示される選択メニューのうちいずれかを選択する場合に使用される。
【００２３】
画像表示装置１は、選択ボタン３の右側に、電源のＯＮ／ＯＦＦを示す電源ランプ１０、電源をオンオフするための電源スイッチ４、メニューを表示させるためのメニューボタン５、表示されているドキュメントを閉じるための閉ボタン６、ドキュメントを拡大するための拡大ボタン７、頁を次の頁に送る次ボタン８、頁を前の頁に戻す前ボタン９が配置されている。これらのボタンを総称して「操作キー３４」という。
【００２４】
次に、図２を参照して画像表示装置１の電気的構成を説明する。画像表示装置１は、ＣＰＵ２１、ＲＯＭ２４及びＲＡＭ２５を備えている。ＣＰＵ２１は、画像表示装置１の主制御や表示パネル２の表示制御等を司る。ＲＯＭ２４は、ＣＰＵ２１が各種の処理等を実行するために必要なプログラムやその他の情報を記憶している。ＣＰＵ２１はＲＯＭ２４と電気的に接続され、ＲＯＭ２４の記憶領域にアクセスできる。また、ＲＡＭ２５は、表示データ等を一時的に記憶する表示データ記憶領域（図示外）と、現在表示されている頁数を記憶する頁数（ｎＰａｇｅ）記憶領域（図示外）と、その他の情報記憶領域（図示外）を少なくとも備えている。ＣＰＵ２１はＲＡＭ２５と電気的に接続され、ＲＡＭ２５の記憶領域にアクセスできる。
【００２５】
また、画像表示装置１は、メモリカードインターフェース（以下、「メモリカードＩ／Ｆ」と言う）２６を備えている。メモリカードＩ／Ｆ２６には、メモリカード３５が接続される。メモリカード３５には、画像表示装置１の表示パネル２で表示されるデータが記憶されている。ＣＰＵ２１はメモリカードＩ／Ｆ２６を介してメモリカード３５と電気的に接続する。ＣＰＵ２１は、メモリカード３５の記憶領域にアクセスする。
【００２６】
また、画像表示装置１は、表示パネル２を駆動制御するＬＣＤコントローラ２３を備えている。ＣＰＵ２１はＬＣＤコントローラ２３と電気的に接続している。ＣＰＵ２１は、ＬＣＤコントローラ２３を介して表示パネル２に所望の像を表示させることができる。さらに、ＣＰＵ２１は、操作キー３４と電気的に接続しており、ＣＰＵ２１は、ユーザによって操作キー３４が操作されたことを検出できる。
【００２７】
また、画像表示装置１は、バッテリ３１と充電コントローラ３０とを備えている。ＣＰＵ２１は、充電コントローラ３０と接続されている。バッテリ３１は充電コントローラ３０と接続される。これによって、バッテリ３１から充電コントローラ３０を介してＣＰＵ２１に電力が供給される。尚、バッテリ３１としては、充電可能な二次電池であれば特段限定されず、周知の電池が使用可能である。例えば、バッテリ３１としては、リチウムイオン電池、ニッケル水素電池、ニッケル・カドミウム蓄電池、リチウムポリマー電池等が使用可能である。
【００２８】
また、画像表示装置１は、ＵＳＢ（Ｕｎｉｖｅｒｓａｌ  Ｓｅｒｉａｌ  Ｂｕｓ）デバイスコントローラ２７を備えている。ＵＳＢデバイスコントローラ２７は、ＵＳＢコネクタ３２を介して、外部のＵＳＢデバイス３６や後述する充電装置５０の端末接続端子８１（図６参照）に電気的に接続されるようになっている。充電コントローラ３０は、ＵＳＢコネクタ３２又は図示外のＡＣコネクタから供給される電流により、バッテリ３１を充電することができる。
【００２９】
また、画像表示装置１は、アンテナ（図示外）と通信部（図示外）とを備えている。通信部は、例えば、ブルートゥースモジュール等の通信モジュールを備えている。ＣＰＵ２１は、通信部とアンテナとを介して、外部機器とデータ通信を行うことができる。
【００３０】
次に、図３を参照して、メモリカード３５に記憶されるデータについて説明する。図３に示すように、メモリカード３５には、表示パネル２に表示されるドキュメントデータ３００が記憶されている。ドキュメントデータ３００は、フォルダパス等のフォルダ情報３０１と、当該ドキュメントデータ３００のタイトルや日付データ等のドキュメント情報３０２と、全ページ数等のページ情報３０３と、表示される各ページのデータ３０４とが記憶されている。このドキュメントデータ３００のドキュメント情報３０２の日付を見れば、当該ドキュメントデータ３００が最新のものであるか否かの判断ができる。
【００３１】
次に、図４を参照して、充電装置５０の構造を説明する。尚、図４は、駆動機構等は省略して図示している。この充電装置５０は、画像表示装置１を複数台並べて充電できるようになっている。具体的には、充電装置５０には、複数の充電ユニット７１，７２，７３，７４，７５，７６・・・が連続して配置され一体化されている。充電ユニット７１内には、画像表示装置１を保持して、上下移動する可動クレードル１７１が設けられている。この可動クレードル１７１が下まで下がった位置が、画像表示装置１のバッテリ３１を充電する格納位置である。また、画像表示装置１のバッテリ３１の充電が完了後に画像表示装置１が取り易いように、可動クレードル１７１が上昇して、画像表示装置１がポップアップした状態が突出位置である。充電ユニット７２，７３，７４，７５，７６にも、同様の可動クレードル１７２，１７３，１７４，１７５，１７６が設けられている。
【００３２】
次に、図５から図７を参照して、充電ユニット７１の構造の詳細を説明する。充電ユニット７１は、画像表示装置１をガイドするガイド部１１０と、可動クレードル１７１を駆動する駆動機構部１１４とから構成されている。ガイド部１１０は、平板から構成された背壁１１１と、当該背壁１１１の左右両端部に各々形成された側壁１１２，１１３とから構成されている。このガイド部１１０の背壁１１１は、画像表示装置１を可動クレードル１７１に載置するときに画像表示装置１の背面をガイドする。また、側壁１１２，１１３は、画像表示装置１の左右の側端部をガイドする。
【００３３】
次に、駆動機構部１１４について説明する。駆動機構部１１４は、正面視、横長の長方形の平板１１５の外周を外周壁１１６が囲って、ガイド部１１０側及び正面側（図５に於ける）が開放された箱形状に形成されている。駆動機構部１１４には、画像表示装置１の下部を保持する上部が開放された箱形状の可動クレードル１７１が設けられている。当該可動クレードル１７１の正面側（図５に於ける）の下端部側には、ガイドピン１０４とガイドピン１０５とが水平方向に所定間隔開けて設けられている。また、駆動機構部１１４には、当該可動クレードル１７１をガイドして左右方向に移動するスライダ１００が設けられている。スライダ１００の正面側（図５に於ける）には、左上から右下に向かって傾斜したガイド溝１２０とガイド溝１２１とが水平方向に所定間隔開けて形成されている。ガイドピン１０４は、ガイド溝１２０によりガイドされ、ガイドピン１０５は、ガイド溝１２１によりガイドされる。尚、図５に示す駆動機構部１１４には、背面側にも上記同様の構造が対称的に設けられている。
【００３４】
また、スライダ１００の下方には、直線型のアクチュエータ９１が平板１１５に固定されている。また、図７に示すように、アクチュエータ９１の可動軸１９１の先端部は、スライダ１００の底面に設けられた固定部１０１に固定されている。アクチュエータ９１は、空気圧で駆動されるもの、油圧で駆動されるもの、電気で駆動されるソレノイド、又はラック機構等のメカニズムの何れでも構わない。また、図５及び図７に示すように、駆動機構部１１４の平板１１５の左右の端部の上側には、可動クレードル１７１の左右の側面を各々ガイドするガイドローラ１０２，１０３が設けられている。また、スライダ１００の正面上端部には正面視長方形の平板の中央ガイド１０６が設けられている。中央ガイド１０６は、スライダ１００の上部のレール状の部分を直線スライド可能な状態にガイドすることで画像表示装置１と可動クレードル１７１との下方向への荷重を受けるものである。
【００３５】
また、図６に示すように、可動クレードル１７１の底部には、端末接続端子８１が設けられ、画像表示装置１のＵＳＢコネクタ３２に嵌合する第一端末接続端子８１が設けられている。この端末接続端子８１を介して、電力及び最新のデータが画像表示装置１に供給される。
【００３６】
次に、図８を参照して、充電装置５０の電気的構成について説明する。充電装置５０には、主制御を司るＣＰＵ５１が設けられている。また、ＣＰＵ５１には、データバス５２を介して、ＲＡＭ５３、ＲＯＭ５４、入力部５５、ポップアップ格納コントローラ６０、端末データ入出力コントローラ６２、電力供給部６３が接続されている。ＲＡＭ５３には、一時的に各種データが記憶され、ＲＯＭ５４にはＣＰＵ５１が実行する制御プログラムが記憶されている。また、入力部５５には、ＵＳＢコネクタ５７及びメモリーカードリーダー５６が接続されている。ＵＳＢコネクタ５７には、図示外の外部のコンピュータや外部記憶装置等が接続される。また、メモリーカードリーダー５６には、メモリカード５８が着脱される。従って、画像表示装置１に書き込む新規なデータは、メモリカード５８に記憶して充電装置５０に供給するか、外部のコンピュータや外部記憶装置から充電装置５０に供給される。
【００３７】
ポップアップ格納コントローラ６０は、各充電ユニット７１，７２・・・のアクチュエータ９１，９２・・・の動作を制御する。また、端末データ入出力コントローラ６２は、各端末接続端子８１，８２・・・を介して、各画像表示装置１へのデータの書き込み及び消去を制御する。また、電力供給部６３は、各端末接続端子８１，８２・・・を介して、各画像表示装置１のバッテリ３１への充電を制御する。
【００３８】
上記のように構成された充電装置５０では、図５に示すように、アクチュエータ９１の可動軸１９１が伸びていない状態では、スライダ１００が左側に移動しており、可動クレードル１７１が下がった状態である。この状態が格納位置であり、画像表示装置１が下がって充電が行われる。また、画像表示装置１のメモリカード３５のデータが最新でない場合には、充電装置５０のメモリカード５８に記憶されている新たなデータが書き込まれる。そして、図７に示すように、アクチュエータ９１の可動軸１９１が伸びた状態になると、スライダ１００が右方向（図７に於ける）に移動し、スライダ１００のガイド溝１２０，１２１にガイドピン１０４，１０５が各々案内されて、ガイドピン１０４，１０５が上昇して可動クレードル１７１が持ち上がり、画像表示装置１が上昇してポップアップ状態になる。この状態が突出位置である。尚、充電ユニット７２，７３，７４，７５，７６の構造及び動作も充電ユニット７１と同様である。
【００３９】
次に、図６から図９を参照して、充電装置５０の動作の第一実施の形態を説明する。以下の例では、充電装置５０の充電ユニット７１に画像表示装置１を挿入して充電及びデータの書換えを行う場合を説明するが、他の充電ユニット７２から７６の場合も同様である。図９に示すフローチャートの制御のプログラムは、充電装置５０のＲＯＭ５４に記憶されており、ＣＰＵ５１が実行する。充電装置５０では、画像表示装置１が可動クレードル１７１に挿入されていない状態では、可動クレードル１７１は上昇して突出位置に位置し、画像表示装置１の挿入を待っている（Ｓ１：ＮＯ）。図７に示すように、使用者が画像表示装置１を可動クレードル１７１に挿入すると、図６に示す画像表示装置１のＵＳＢコネクタ３２が充電装置５０の端末接続端子８１に嵌合する。この状態で、画像表示装置１が充電装置５０の端末データ入出力コントローラ６２に電気的に接続されるので、ＣＰＵ５１は、画像表示装置１が可動クレードル１７１に挿入されて接続されたことを検出できる（Ｓ１：ＹＥＳ）。
【００４０】
次に、ＣＰＵ５１は、端末データ入出力コントローラ６２を介して、可動クレードル１７１に挿入されて接続された画像表示装置１のメモリカード３５のドキュメントデータ３００が最新か否かを判断する（Ｓ２）。この判断は、画像表示装置１のメモリカード３５のドキュメントデータ３００のドキュメント情報３０２の日付が、充電装置５０のメモリカード５８に記憶している同じドキュメントデータ３００のドキュメント情報３０２の日付と同じか否かで判断する。充電装置５０のメモリカード５８には、常に最新のデータが記憶されているので、日付が一致しない場合には、画像表示装置１のメモリカード３５のドキュメントデータ３００のドキュメント情報３０２は最新でないと判断される（Ｓ２：ＮＯ）。
【００４１】
Ｓ２の判断処理で、画像表示装置１のメモリカード３５のドキュメントデータ３００のドキュメント情報３０２が最新でないと判断された場合には（Ｓ２：ＮＯ）、ＣＰＵ５１はポップアップ格納コントローラ６０を介して、アクチュエータ９１の可動軸１９１を収納して図５に示すように可動クレードル１７１を降下させて格納位置に移動させる（Ｓ３）。次いで、ＣＰＵ５１は端末データ入出力コントローラ６２を介して画像表示装置１のメモリカード３５のドキュメントデータ３００を充電装置５０のメモリカード５８に記憶している最新のデータに書き換える（Ｓ４）。
【００４２】
画像表示装置１のメモリカード３５のドキュメントデータ３００が最新のデータであった場合及び書換により最新のデータに成った場合は（Ｓ２：ＹＥＳ）、ＣＰＵ５１は画像表示装置１のバッテリ３１の電圧が予め設定されている設定値の電圧以上あるか否かを電力供給部６３を介して判断する（Ｓ５）。バッテリ３１の電圧が設定値の電圧以上ない場合には（Ｓ５：ＮＯ）、充電が必要であるので、ＣＰＵ５１はポップアップ格納コントローラ６０を介して、アクチュエータ９１の可動軸１９１を収納して図５に示すように可動クレードル１７１を降下させて格納位置に移動させて、充電が開始される（Ｓ６）。この充電は、ＣＰＵ５１が電力供給部６３を制御して行う。尚、Ｓ３の処理で、可動クレードル１７１が降下された状態の場合には、そのまま可動クレードル１７１の降下された状態が維持されて、充電が開始される（Ｓ６）。
【００４３】
次いで、バッテリ３１の電圧が最初から設定値の電圧以上の場合及び充電により設定値の電圧以上になった場合（Ｓ５：ＹＥＳ）、ＣＰＵ５１はポップアップ格納コントローラ６０を介して、アクチュエータ９１の可動軸１９１を突出して図７に示すように可動クレードル１７１を上昇させて突出位置に移動させる（Ｓ７）。従って、画像表示装置１のメモリカード３５のドキュメントデータ３００が最新であり（Ｓ２：ＹＥＳ）、バッテリ３１の電圧が設定値以上となって充電が完了した場合には（Ｓ５：ＹＥＳ）、画像表示装置１は図７に示すように、突出位置に位置してポップアップ状態となり取り出し易くなる。また、一目でデータが最新であり充電が完了していることが分かる。
【００４４】
次に、図６から図８、図１０、図１１及び図１２を参照して、充電装置５０の動作の第二実施の形態を説明する。以下の例では、充電装置５０の充電ユニット７１に画像表示装置１を挿入して充電及びデータの書換えを行う場合を説明するが、他の充電ユニット７２から７６の場合も同様である。図１０に示すフローチャートの制御のプログラムは、充電装置５０のＲＯＭ５４に記憶されており、ＣＰＵ５１が実行する。充電装置５０では、画像表示装置１が可動クレードル１７１に挿入されていない状態では、可動クレードル１７１は上昇して突出位置に位置し、画像表示装置１の挿入を待っている（Ｓ１１：ＮＯ）。図７に示すように、使用者が画像表示装置１を可動クレードル１７１に挿入すると、図６に示す画像表示装置１のＵＳＢコネクタ３２が充電装置５０の端末接続端子８１に嵌合する。この状態で、画像表示装置１が充電装置５０の端末データ入出力コントローラ６２に電気的に接続されるので、ＣＰＵ５１は、画像表示装置１が可動クレードル１７１に挿入されて接続されたことを検出できる（Ｓ１１：ＹＥＳ）。
【００４５】
次に、ＣＰＵ５１は、端末データ入出力コントローラ６２を介して、可動クレードル１７１に挿入されて接続された画像表示装置１のメモリカード３５のドキュメントデータ３００が最新か否かを判断する（Ｓ１２）。この判断は、画像表示装置１のメモリカード３５のドキュメントデータ３００のドキュメント情報３０２の日付が、充電装置５０のメモリカード５８に記憶している同じドキュメントデータ３００のドキュメント情報３０２の日付と同じか否かで判断する。充電装置５０のメモリカード５８には、常に最新のデータが記憶されているので、日付が一致しない場合には、画像表示装置１のメモリカード３５のドキュメントデータ３００のドキュメント情報３０２は最新でないと判断される（Ｓ１２：ＮＯ）。
【００４６】
Ｓ１２の判断処理で、画像表示装置１のメモリカード３５のドキュメントデータ３００のドキュメント情報３０２が最新でないと判断された場合には（Ｓ１２：ＮＯ）、ＣＰＵ５１はポップアップ格納コントローラ６０を介して、アクチュエータ９１の可動軸１９１を収納して図５に示すように可動クレードル１７１を降下させて格納位置に移動させる（Ｓ１３）。次いで、ＣＰＵ５１は端末データ入出力コントローラ６２を介して画像表示装置１のメモリカード３５のドキュメントデータ３００を充電装置５０のメモリカード５８に記憶している最新のデータに書き換える（Ｓ１４）。
【００４７】
画像表示装置１のメモリカード３５のドキュメントデータ３００が最新のデータであった場合及び書換えにより最新のデータに成った場合は（Ｓ１２：ＹＥＳ）、ＣＰＵ５１は画像表示装置１のバッテリ３１の電圧が予め設定されている設定値の電圧以上あるか否かを電力供給部６３を介して判断する（Ｓ１５）。バッテリ３１の電圧が設定値の電圧以上ない場合には（Ｓ１５：ＮＯ）、充電が必要であるので、ＣＰＵ５１はポップアップ格納コントローラ６０を介して、アクチュエータ９１の可動軸１９１を収納して図５に示すように可動クレードル１７１を降下させて格納位置に移動させて、充電が開始される（Ｓ１６）。この充電は、ＣＰＵ５１が電力供給部６３を制御して行う。尚、Ｓ１３の処理で、可動クレードル１７１が降下された状態の場合には、そのまま可動クレードル１７１の降下された状態が維持されて、充電が開始される（Ｓ１６）。
【００４８】
次いで、バッテリ３１の電圧が最初から設定値の電圧以上の場合及び充電により設定値の電圧以上になった場合に（Ｓ１５：ＹＥＳ）、近接する充電ユニットの可動クレードルが画像表示装置１を保持してポップアップしているか否かを判断する（Ｓ１７）。このＳ１７の判断は、例えば、充電ユニット７１に近接した充電ユニット７２の可動クレードル１７２が画像表示装置１を保持して（ＵＳＢコネクタ３２が端末接続端子８１に電気的に接続された状態で）上昇して突出位置にあるか否かを判断する。具体的には、充電ユニット７２の可動クレードル１７２を駆動するアクチュエータの稼働軸が突出するように、ポップアップ格納コントローラ６０が制御しているかどうか及び画像表示装置１のＵＳＢコネクタ３２がその可動クレードル１７２の端末接続端子８２に電気的に接続された状態か否かでＣＰＵ５１が判断する。ここで、充電ユニット７１に近接した充電ユニット７２の可動クレードル１７２が画像表示装置１を保持して上昇して突出位置にある場合には（Ｓ１７：ＹＥＳ）、充電ユニット７１の可動クレードル１７１も上昇すると可動クレードル１７１に保持された画像表示装置１が取り出しにくくなる。
【００４９】
そこで、充電ユニット７１の可動クレードル１７１を降下したままで格納位置にし（Ｓ１８）、充電ユニット７２の可動クレードル１７２が降下して可動クレードル１７１に保持された画像表示装置１が取り易くなるまで待機する（Ｓ１２：ＹＥＳ，Ｓ１５：ＹＥＳ，Ｓ１７）。ここで、充電ユニット７２の可動クレードル１７２が降下すると（Ｓ１７：ＮＯ）、可動クレードル１７１に保持された画像表示装置１をポップアップした状態にしても取り易くなるので、ＣＰＵ５１はポップアップ格納コントローラ６０を介して、アクチュエータ９１の可動軸１９１を突出して図７に示すように可動クレードル１７１を上昇させて突出位置に移動させる（Ｓ１９）。従って、図１２に示すように、充電ユニット７１の可動クレードル１７１が保持する画像表示装置１は取り出し易くなる。尚、充電ユニット７２の可動クレードル１７２から画像表示装置１が取り外された場合にも、ＣＰＵ５１はポップアップ格納コントローラ６０を介して、アクチュエータ９１の可動軸１９１を突出して図７に示すように可動クレードル１７１を上昇させて突出位置に移動させる（Ｓ１９）。
【００５０】
尚、上記第二の実施の形態では、充電中の画像表示装置１に近接した画像表示装置１を保持した可動クレードルのポップアップ状態の判断（Ｓ１７）の対象としては、当該画像表示装置１（可動クレードル１７１）の一面側だけを対象にしても良いし、両面側を対象にしても良い。また、充電中の画像表示装置１に近接した画像表示装置１を保持した可動クレードルのポップアップ状態の判断（Ｓ１７）の対象としては、複数個を対象としても良い。例えば、充電中の画像表示装置１を保持した可動クレードル１７１に近接した２個の可動クレードル１７２，１７３（図４参照）を対象として、この２個ともが降下していないと、Ｓ１７の判断をＮＯとしないようにしても良い。この場合には、近接した２個の可動クレードル１７２，１７３が降下して格納位置にあるので、充電ユニット７１の可動クレードル１７１が保持する画像表示装置１は取り出し易くなる。また、近接した３個、４個が降下しているかを判断の対象としても良い。
【００５１】
なお、本発明は上記実施の形態に限定されるものではなく、種々の変更が可能である。例えば、充電ユニットの配置数は、２個、３個、４個、５個等任意の複数個ならべれば良い。また、上記の第一及び第二の実施の形態では、データが最新の判断をしているが（Ｓ２及びＳ１２）この判断をやめて、バッテリの充電状態の判断（Ｓ５及びＳ１５）のみにしても良い。
【符号の説明】
【００５２】
１  画像表示装置
２  表示パネル
３１  バッテリ
３５  メモリカード
５０  充電装置
５１  ＣＰＵ
５８  メモリカード
６０  ポップアップ格納コントローラ
６２  端末データ入出力コントローラ
６３  電力供給部
７１，７２，７３，７４，７５，７６  充電ユニット
８１  端末接続端子
９１  アクチュエータ
１００  スライダ
１１０  ガイド部
１１４  駆動機構部
１７１，１７２，１７３，１７４，１７５，１７６  可動クレードル
３００  ドキュメントデータ
３０２  ドキュメント情報
【図１】
2012034511.tif 000003
【図２】
2012034511.tif 000004
【図３】
2012034511.tif 000005
【図４】
2012034511.tif 000006
【図５】
2012034511.tif 000007
【図６】
2012034511.tif 000008
【図７】
2012034511.tif 000009
【図８】
2012034511.tif 000010
【図９】
2012034511.tif 000011
【図１０】
2012034511.tif 000012
【図１１】
2012034511.tif 000013
【図１２】
2012034511.tif 000014